(57)【要約】【課題】物品を棚板に対して傾斜させた状態で陳列する傾斜陳列と、物品を棚板に対して垂直に起立させた状態で陳列する垂直陳列との双方を実現可能な物品支持部材を提供する。【解決手段】陳列棚の棚板２上に載置される物品４を、物品４の背面方向から支える物品支持部材１であって、棚板２の上面に対して傾斜した第１支持面２２と、棚板２の上面に対して垂直な第２支持面２４ａ，２４ｂとを備え、第１支持面２２によって物品４の背面を支持する第１の支持態様と、第２支持面２４ａ，２４ｂによって物品４の背面を支持する第２支持態様とを切り替え可能に構成されている。【選択図】図１
2016097160.tif 000002
【特許請求の範囲】
【請求項１】
陳列棚の棚板上に載置される物品を該物品の背面方向から支える物品支持部材であって、
前記棚板の上面に対して傾斜した第１支持面と、
前記棚板の上面に対して垂直な第２支持面とを備え、
前記第１支持面によって前記物品の背面を支持する第１の支持態様と、前記第２支持面によって前記物品の背面を支持する第２支持態様とを切り替え可能に構成されている
ことを特徴とする物品支持部材。
【請求項２】
前記棚板上に載置可能に構成された土台部と、前記土台部に立設された支持部とを備え、
前記支持部は、前記第１支持面及び前記第２支持面を有している
ことを特徴とする請求項１に記載の物品支持部材。
【請求項３】
前記土台部は、前記物品を載置可能な上面を有し、該上面に滑り止め部が設けられている
ことを特徴とする請求項２に記載の物品支持部材。
【請求項４】
前記滑り止め部は、前記土台部の幅方向に離間した一対の突起部を有する
ことを特徴とする請求項３に記載の物品支持部材。
【発明の詳細な説明】
【技術分野】
【０００１】
本発明は、例えばコンビニエンスストアやスーパーマーケット等の販売店に設置された陳列棚に用いられ、棚板上に陳列された物品を後方から支える物品支持部材に関するものである。
【背景技術】
【０００２】
従来、コンビニエンスストアやスーパーマーケット等の販売店に設置された陳列棚に用いられ、棚板上に陳列された物品が後方（背面方向）に倒れないように支持すると共に、物品の背面を押圧することで物品の前出しを行うための商品支持体が知られている（特許文献１）。
【先行技術文献】
【特許文献】
【０００３】
【特許文献１】特開２００１−７０１０８号公報
【発明の概要】
【発明が解決しようとする課題】
【０００４】
しかしながら、特許文献１の商品支持体は、陳列棚の棚板上に陳列される商品を棚板に対して傾斜させた状態で支持する陳列態様（以下、「傾斜陳列」という）専用の商品支持体であるため、例えば、商品を棚板に対して垂直に起立させた状態で支持する陳列態様（以下、「垂直陳列」という）を行うことができないものである。このため、陳列する物品の特性に合わせて傾斜陳列と垂直陳列とを切り替えるためには、特許文献１の商品支持体を垂直陳列専用の他の商品支持体と総入れ替えする必要があり、取り替え作業が煩雑であるという問題がある。また、特許文献１の商品支持体を用いる販売店では、特許文献１の商品支持体の他に、垂直陳列専用の他の商品支持体を常にストックしておく必要があるため、コスト及び保管スペースが過大となるという問題がある。
【０００５】
本発明は、上述した問題点に鑑みてなされたものであり、その目的は、物品を棚板に対して傾斜させた状態で陳列する傾斜陳列と、物品を棚板に対して垂直に起立させた状態で陳列する垂直陳列との双方を実現可能な物品支持部材を提供することにある。
【課題を解決するための手段】
【０００６】
上記の目的を達成するため、本発明に係る物品支持部材は、陳列棚の棚板上に載置される物品を該物品の背面方向から支える物品支持部材であって、前記棚板の上面に対して傾斜した第１支持面と、前記棚板の上面に対して垂直な第２支持面とを備え、前記第１支持面によって前記物品の背面を支持する第１の支持態様と、前記第２支持面によって前記物品の背面を支持する第２支持態様とを切り替え可能に構成されていることを特徴とする。
【０００７】
本発明に係る物品支持部材は、前記棚板上に載置可能に構成された土台部と、前記土台部に立設された支持部とを備え、前記支持部は、前記第１支持面及び前記第２支持面を有するとしても良い。
【０００８】
本発明に係る物品支持部材において、前記物品を載置可能な上面を有し、該上面に滑り止め部が設けられることが好ましい。
【０００９】
また、本発明に係る物品支持部材において、前記滑り止め部は、前記土台部の幅方向に離間した左右一対の突起部を有することが好ましい。
【発明の効果】
【００１０】
本発明によれば、物品を棚板に対して傾斜させた状態で陳列する傾斜陳列と、物品を棚板に対して垂直に起立させた状態で陳列する垂直陳列との双方を実現可能な物品支持部材を提供することができる。
【図面の簡単な説明】
【００１１】
【図１】第１実施形態に係る物品支持部材の概略構成を示す正面斜視図である。
【図２】第１実施形態に係る物品支持部材の概略構成を示す背面斜視図である。
【図３】第１実施形態に係る物品支持部材の概略構成を示す側面図である。
【図４】第１実施形態に係る物品支持部材の第１の支持態様（傾斜陳列の態様）を示す側面図である。
【図５】第１実施形態に係る物品支持部材の第２の支持態様（垂直陳列の態様）を示す側面図である。
【図６】第２実施形態に係る物品支持部材の概略構成を示す正面斜視図である。
【図７】第２実施形態に係る物品支持部材の第１の支持態様（傾斜陳列の態様）を示す正面斜視図である。
【発明を実施するための形態】
【００１２】
次に、本発明の第１実施形態に係る物品支持部材１について、図面に基づいて説明する。第１実施形態に係る物品支持部材１は、陳列棚の棚板２上に載置される物品４を背面方向から支える樹脂製の所謂バックストッパである。この物品支持部材１は、図１〜図３に示すように、棚板２上に載置可能に構成された土台部１０と、土台部１０に略垂直に立設された支持部２０とが一体成形されることにより構成されており、土台部１０及び支持部２０を含めた全体が断面略Ｌ字となる形状を有している。なお、以下の説明では、傾斜陳列（図４に示す第１の支持態様）の際に物品４の背面と対向する側が、物品支持部材１の正面であり、これと反対側、すなわち、垂直陳列（図５に示す第２の支持態様）の際に物品４の背面と対向する側が、物品支持部材１の背面であるものとして説明する。
【００１３】
土台部１０は、図１〜図３に示すように、傾斜陳列の際に物品４を載置可能な上面１０ａと、棚板２上に載置される下面１０ｂとを有する矩形平板状に形成されている。これら土台部１０の上面１０ａ及び下面１０ｂは、それぞれ、棚板２上に載置された際に棚板２の上面と略平行となるよう構成されている。
【００１４】
土台部１０の上面１０ａには、上面１０ａ上に物品４を載置させた際に物品４の滑り止めとして機能する滑り止め部１２が、物品支持部材１の前後方向（図３中の左右方向）に所定の間隔をおいて一又は複数設けられている。滑り止め部１２は、それぞれ、土台部１０の一方の側縁部から他方の側縁部に亘って延びる突条形状、すなわち、土台部１０の一方の側縁部から他方の側縁部に亘って延び、かつ、上面１０ａから上方に向けて突出した形状に形成されている。土台部１０の下面１０ｂには、棚板２の上面に接着可能に構成された接着部、本実施形態では、棚板２の上面に磁力で接着可能な一又は複数のマグネット１４が設けられている。
【００１５】
支持部２０は、図１〜図３に示すように、物品支持部材１の全体形状が断面略Ｌ字となるように土台部１０の後方縁部から上方に向けて垂直に立設されており、その上下方向の中途部が物品支持部材１の正面方向に向けて断面略くの字状に屈曲した略平板状に形成されている。支持部２０の正面側（図３中、左側）には、土台部１０の上面１０ａ（すなわち、棚板２の上面）に対して傾斜した第１支持面（後述する正面２２）が形成されており、支持部２０の背面側（図３中、右側）には、土台部１０の上面１０ａ（すなわち、棚板２の上面）に対して垂直な第２支持面（後述する背面２４ａ，２４ｂ）が形成されている。以下、支持部２０の具体的な構成について説明する。
【００１６】
支持部２０は、図１〜図３に示すように、土台部１０の後方縁部に沿って、該土台部１０の後方縁部から上方に向けて垂直に延びる下部垂直平板部２０ａと、下部垂直平板部２０ａの上端部から物品支持部材１の正面方向に向けて斜め上方に傾いて延びる下部傾斜平板部２０ｂと、下部傾斜平板部２０ｂの上端部から物品支持部材１の背面方向に向けて斜め上方に傾いて延びる上部傾斜平板部２０ｃと、上部傾斜平板部２０ｃの上端部から鉛直方向上方（土台部１０の上面１０ａに対して垂直かつ上方）に延びる上部垂直平板部２０ｄとからなる形状を有している。
【００１７】
下部垂直平板部２０ａ及び上部垂直平板部２０ｄの正面側（図３中、左側）には、図１及び図３に示すように、下部垂直平板部２０ａ及び上部垂直平板部２０ｄの正面と垂直かつ上下方向に延びる補強リブ２６ａ，２６ｃが形成されている。また、下部傾斜平板部２０ｂ及び上部傾斜平板部２０ｃの背面側（図３中、右側）には、図２及び図３に示すように、下部傾斜平板部２０ｂ及び上部傾斜平板部２０ｃの背面と垂直かつ上下方向に延びる補強リブ２６ｂが形成されている。
【００１８】
上部傾斜平板部２０ｃは、図１〜図３に示すように、土台部１０の上面１０ａに対して上方かつ背面方向に向けて傾斜した正面２２を有し、この正面２２が、物品４を棚板２に対して傾斜させた状態で物品４の背面を支持する第１支持面として機能するよう構成されている（図４参照）。
【００１９】
支持部２０は、図３に示すように、上部傾斜平板部２０ｃの正面２２（第１支持面）に沿って上下方向に延びる延長線Ｘ上に、上部垂直平板部２０ｄの上端部２１が位置し、かつ、土台部１０の前後方向の略中央部（具体的には、土台部１０の滑り止め部１２が設けられた領域）が位置するように構成されている。すなわち、支持部２０は、物品４を棚板２に対して傾斜した状態で陳列する第１の支持態様（傾斜陳列）において、上部傾斜平板部２０ｃの正面２２（第１支持面）が物品４の背面と面接触すると共に、上部垂直平板部２０ｄの上端部２１が物品４の背面と線接触することによって、物品４の背面を支持し、また、これと同時に、土台部１０の滑り止め部１２によって、滑りを防止した状態で物品４の下端部を支持することが可能に構成されている（図４参照）。
【００２０】
下部垂直平板部２０ａ及び上部垂直平板部２０ｄは、図３に示すように、それぞれの背面２４ａ，２４ｂが同一平面上に位置するよう、物品支持部材１の前後方向（図３中の左右方向）及び幅方向の位置が整合されると共に、上下方向に整列されており、これら下部垂直平板部２０ａ及び上部垂直平板部２０ｄの背面２４ａ，２４ｂが、物品４を棚板２に垂直に起立させた状態で物品４の背面を支持する第２支持面として機能するよう構成されている（図５参照）。
【００２１】
第１実施形態に係る物品支持部材１は、以上の構成を備えることにより、棚板２上に載置された物品４に対する物品支持部材１の向きを変更することにより、図４に示す、物品４を棚板２に対して傾斜した状態で陳列する傾斜陳列（第１の支持態様）と、図５に示す、物品４を棚板２に対して垂直に起立させた状態で陳列する垂直陳列（第２の支持態様）とを切り替え可能に構成されている。
【００２２】
具体的には、第１実施形態に係る物品支持部材１を用いて傾斜陳列（第１の支持態様）を実現するためには、図４に示すように、物品支持部材１の正面が陳列棚の正面方向に向くよう物品支持部材１を陳列棚の棚板２上に載置させた状態で、支持部２０の上部傾斜平板部２０ｃの正面２２（第１支持面）に物品４の背面が当接するよう、土台部１０の上面１０ａ上に物品４を載置させる。すなわち、土台部１０の上面１０ａ（すなわち、棚板２の上面）に対して傾斜した上部傾斜平板部２０ｃの正面２２（第１支持面）によって、物品４の背面を支持する。これにより、物品４を棚板２に対して傾斜した状態で陳列する傾斜陳列（第１の支持態様）を実現することができる。
【００２３】
また、第１実施形態に係る物品支持部材１を用いて垂直陳列（第２の支持態様）を実現するためには、図５に示すように、陳列棚の棚板２上に起立して載置された物品４の背面に支持部２０の下部垂直平板部２０ａ及び上部垂直平板部２０ｄの背面２４ａ，２４ｂ（第２支持面）が当接するよう、物品支持部材１の背面を陳列棚の正面方向に向けて、物品支持部材１を陳列棚の棚板２上に載置させる。すなわち、土台部１０の上面１０ａ（すなわち、棚板２の上面）に対して垂直な下部垂直平板部２０ａ及び上部垂直平板部２０ｄの背面２４ａ，２４ｂ（第２支持面）によって、物品４の背面を支持する。これにより、物品４を棚板２に対して垂直に起立させた状態で陳列する垂直陳列（第２の支持態様）を実現することができる。
【００２４】
以上のように、第１実施形態に係る物品支持部材１は、陳列棚の棚板２上に載置される物品４を該物品４の背面方向から支える物品支持部材であって、棚板２の上面に対して傾斜した第１支持面２２と、棚板２の上面に対して垂直な第２支持面２４ａ，２４ｂとを備え、第１支持面２２によって物品４の背面を支持する第１の支持態様と、第２支持面２４ａ，２４ｂによって物品４の背面を支持する第２支持態様とを切り替え可能に構成されている。そして、このような物品支持部材１によれば、物品４を棚板２に対して傾斜させた状態で陳列する傾斜陳列（第１の支持態様）と、物品４を棚板２に対して垂直に起立させた状態で陳列する垂直陳列（第２の支持態様）との双方を一つの物品支持部材１で実現することができる。このため、陳列する物品４の特性に合わせて傾斜陳列と垂直陳列とを切り替える必要が生じた場合であっても、物品支持部材１の向きを変えるという極めて簡単な作業のみで対応することができる。また、第１実施形態に係る物品支持部材１によれば、従来のような傾斜陳列専用の商品支持体と垂直陳列専用の他の商品支持体との双方を常にストックしておく必要がないため、コスト及び保管スペースを削減することができる。
【００２５】
次に、本発明に係る物品支持部材の第２実施形態について、図６及び図７を用いて説明する。第２実施形態に係る物品支持部材１００は、図６に示すように、陳列棚の棚板２上に載置される物品４を背面方向から支える支持部材本体１０２と、支持部材本体１０２に着脱自在に取付可能に構成された一又は複数の（図示の例では一つの）延長土台部材１０４とを備えている。
【００２６】
支持部材本体１０２は、図６に示すように、棚板２上に載置可能に構成された土台部１１０と、土台部１１０に略垂直に立設された支持部２０とが断面略Ｌ字となるよう一体成形されることにより構成されている。なお、第２実施形態に係る支持部材本体１０２の支持部２０は、第１実施形態に係る物品支持部材１の支持部２０と同様の構成を備えるものであるため、同一符号を付することでその説明を省略する。
【００２７】
土台部１１０は、傾斜陳列の際に物品４を載置可能な上面１１０ａと、棚板２上に載置される下面１１０ｂとを有する矩形平板状に形成されている。これら土台部１１０の上面１１０ａ及び下面１１０ｂは、それぞれ、棚板２上に載置された際に棚板２の上面と略平行となるよう構成されている。
【００２８】
土台部１１０の上面１１０ａには、上面１１０ａ上に物品４を載置させた際に物品４の滑り止めとして機能する滑り止め部１１２が、支持部材本体１０２の前後方向に所定の間隔をおいて一又は複数設けられている。滑り止め部１１２は、それぞれ、土台部１１０の一方の側縁部から他方の側縁部に亘って延びる突条形状を有し、かつ、その長手方向（すなわち、土台部１１０の幅方向）の中央部が、下方に向けて凹となる円弧状に形成されている。具体的には、各滑り止め部１１２は、図６に示すように、土台部１１０の幅方向に離間して配された一対の突起部１１２ａ，１１２ａと、これら一対の突起部１１２ａ，１１２ａを繋ぐ円弧状部１１２ｂとからなる円弧状形状を有している。
【００２９】
土台部１１０の下面１１０ｂには、第１実施形態に係る物品支持部材１の土台部１０と同様に、一又は複数のマグネット１４が設けられている。土台部１１０の先端部には、延長土台部材１０４の雌型連結部１０５ａに対して着脱自在に連結可能な雄型連結部１１１が形成されている。
【００３０】
延長土台部材１０４は、図６に示すように、物品４´を載置可能な上面１０４ａと、棚板２上に載置される下面１０４ｂとを有する矩形平板状に形成されている。これら延長土台部材１０４の上面１０４ａ及び下面１０４ｂは、それぞれ、棚板２上に載置された際に棚板２の上面と略平行となるよう構成されている。
【００３１】
延長土台部材１０４の上面１０４ａには、支持部材本体１０２の土台部１１０と同様に、上面１０４ａ上に物品４´を載置させた際に物品４´の滑り止めとして機能する滑り止め部１１２が、延長土台部材１０４の長手方向（前後方向）に所定の間隔をおいて一又は複数設けられている。なお、延長土台部材１０４の滑り止め部１１２は、支持部材本体１０２の滑り止め部１１２と同様の構成を備えるものであるため、同一符号を付することでその説明を省略する。
【００３２】
延長土台部材１０４の長手方向の一端部には、土台部１１０の雄型連結部１１１に対して着脱自在に連結可能な雌型連結部１０５ａが形成されており、延長土台部材１０４の長手方向の他端部には、土台部１１０の雄型連結部１１１と同様の形状を有する雄型連結部１０５ｂが形成されている。
【００３３】
延長土台部材１０４は、支持部材本体１０２の土台部１１０の雄型連結部１１１に雌型連結部１０５ａが嵌め込まれることにより、支持部材本体１０２に取り付けられるよう構成されている。また、延長土台部材１０４は、雄型連結部１０５ｂに他の延長土台部材１０４の雌型連結部１０５ａが嵌め込まれることにより、他の延長土台部材１０４が取り付けられるよう構成されている。
【００３４】
第２実施形態に係る物品支持部材物品支持部材１００は、以上の構成を備えることにより、第１実施形態に係る物品支持部材１と同様に、棚板２上に載置された物品４´に対する支持部材本体１０２の向きを変更することにより、物品４´を棚板２に対して傾斜した状態で陳列する傾斜陳列（第１の支持態様。図７参照）と、物品４´を棚板２に対して垂直に起立させた状態で陳列する垂直陳列（第２の支持態様。図示せず）とを切り替え可能に構成されている。
【００３５】
このような第２実施形態に係る物品支持部材１００によれば、第１実施形態に係る物品支持部材１と同様に、傾斜陳列（第１の支持態様）と垂直陳列（第２の支持態様）との双方を一つの物品支持部材１００で実現することができるため、陳列する物品４´の特性に合わせて傾斜陳列と垂直陳列とを切り替える必要が生じた場合であっても、物品支持部材１００の向きを変えるという極めて簡単な作業のみで対応することができると共に、従来のような傾斜陳列専用の商品支持体と垂直陳列専用の他の商品支持体との双方を常にストックしておく必要がないため、コスト及び保管スペースを削減することができる。
【００３６】
また、第２実施形態に係る物品支持部材１´は、上述した第１実施形態に係る物品支持部材１と同様の利点に加え、例えば図７に示すように、下端部が下方に向けて凸となる円形状の物品（例えば、６Ｐチーズのパッケージ等）に対応できると共に、第１実施形態に係る物品支持部材１よりも物品４´の陳列数を増やすことができるというさらなる利点を有している。
【００３７】
すなわち、第２実施形態に係る物品支持部材１００は、支持部材本体１０２の土台部１１０及び延長土台部材１０４に形成された各滑り止め部１１２が、土台部１１０又は延長土台部材１０４の幅方向に離間して配された一対の突起部１１２ａ，１１２ａを有している。このような物品支持部材１００によれば、陳列する物品が、例えば図７に示すような下端部が下方に向けて凸となる円形状の物品４´である場合であっても、一対の突起部１１２ａ，１１２ａによって物品４´を支持しつつ、一対の突起部１１２ａ，１１２ａ間に物品４´の下端部を収容させることが可能となるため、物品４´を浮き上がらせることなく載置させることができる。
【００３８】
また、第２実施形態に係る物品支持部材１００は、支持部材本体１０２の土台部１１０に着脱自在に取付可能に構成された延長土台部材１０４を備えている。このような物品支持部材１００によれば、大量の物品４´を陳列させる場合等、支持部材本体１０２の土台部１１０の前後方向の長さが不足した場合に、図７に示すように、支持部材本体１０２の土台部１１０に延長土台部材１０４を取り付けることで、土台部１１０を実質的に延長させることができる。また、第２実施形態に係る延長土台部材１０４は、他の延長土台部材１０４とも連結可能に構成されているため、支持部材本体１０２の土台部１１０に取り付けられた延長土台部材１０４に、さらに他の延長土台部材１０４を取り付けることで、支持部材本体１０２の土台部１１０をさらに延長させることができる。
【００３９】
本発明に係る物品陳列台は、上述した実施形態に限定されるものではなく、本発明の技術思想を逸脱しない範囲内において種々の改変を行なうことができる。
【００４０】
例えば、上述した実施形態の説明では、物品支持部材１及び支持部材本体１０２が、それぞれ全体として断面Ｌ字状に形成されるものとして説明したが、これに限定されず、物品支持部材１の形状は、種々の形状を採用することができる。
【００４１】
また、上述した実施形態の説明では、支持部２０が土台部１０，１１０に立設された平板形状であるものとして説明したが、これに限定されず、棚板２の上面に対して傾斜した第１支持面と、棚板２の上面に対して垂直な第２支持面とを備え、第１支持面によって物品４，４´の背面を支持する第１の支持態様と、第２支持面によって物品４，４´の背面を支持する第２支持態様とを切り替え可能に構成されたものであれば、いかなるものであっても良い。例えば、支持部を角柱状に形成し、一の側面を垂直面とし、他のいずれかの側面を傾斜面とする構成としても良い。
【００４２】
さらに、上述した実施形態の説明では、物品支持部材１，１００が、棚板２上に載置可能に構成された土台部１０，１１０を備え、棚板２上で自立するものとして説明したが、これに限定されず、土台部１０，１１０に代えて、物品支持部材１，１００と共に棚板２上に載置される仕切り板にスライド可能に取り付けられる取付部を用いる構成等、棚板２上で自立しない構成としても良い。
【００４３】
またさらに、上述した実施形態の説明では、土台部１０，１１０の下面１０ｂ，１１０ｂに設けられる接着部として、棚板２の上面に磁力で接着可能な一又は複数のマグネット１４を例に挙げて説明したが、これに限定されず、例えば面ファスナや両面テープ等の種々の接着手段を用いることができる。また、この接着部に代えて、摩擦抵抗が高い滑り止めシートや滑り止め剤等を土台部１０，１１０の下面１０ｂ，１１０ｂに貼り付け又は塗布する構成としても良いし、接着部等を設けずに土台部１０，１１０の下面１０ｂ，１１０ｂを棚板２上に直接接触させる構成としても良い。
【００４４】
また、上述した実施形態の説明では、土台部１０，１１０の上面１０ａ，１１０ａが物品４を載置可能であるものとして説明したが、これに限定されず、土台部１０，１１０の上面１０ａ，１１０ａ上に物品４，４´を載置させずに、物品４，４´を棚板２上に直接載置させて正面２２（第１の支持面）によって支持する構成としても良い。また、上述した実施形態の説明では、土台部１０，１１０の上面１０ａ，１１０ａに滑り止めとして機能する一又は複数の滑り止め部１２，１１２が形成されるものとして説明したが、これに限定されず、滑り止め部１２，１１２に代えて、摩擦抵抗が高い滑り止めシートや滑り止め剤等を土台部１０，１１０の上面１０ａ，１１０ａに貼り付け又は塗布する構成としても良いし、土台部１０，１１０の上面１０ａ，１１０ａ上に滑り止め部１２，１１２が設けられない構成としても良い。
【００４５】
さらに、上述した第２実施形態の説明では、物品支持部材１００が支持部材本体１０２と、一又は複数の延長土台部材１０４とを備えるものとして説明したが、これに限定されず、延長土台部材１０４を備えない構成としても良い。
【００４６】
また、上述した第２実施形態の説明において、支持部材本体１０２及び延長土台部材１０４に形成される滑り止め部１１２が、一対の突起部１１２ａ，１１２ａと、円弧状部１１２ｂとからなる円弧状形状を有するものとして説明したが、これに限定されず、円弧状部１１２ｂを備えずに一対の突起部１１２ａ，１１２ａのみを備える構成としても良いし、第１実施形態に係る滑り止め部１２と同様の構成としても良い。
【００４７】
上記のような変形例が本発明の範囲に含まれることは、特許請求の範囲の記載から明らかである。
【符号の説明】
【００４８】
１，１００  物品支持部材、２  陳列棚の棚板、４，４´  物品、１０，１１０  土台部、１０ａ，１１０ａ  上面、１０ｂ，１１０ｂ  下面、１２，１１２  滑り止め部、１１２ａ  突起部、１４  マグネット（接着部）、２０  支持部、２２  正面（第１支持面）、２４ａ，２４ｂ  背面（第２支持面）
【図１】
2016097160.tif 000003
【図２】
2016097160.tif 000004
【図３】
2016097160.tif 000005
【図４】
2016097160.tif 000006
【図５】
2016097160.tif 000007
【図６】
2016097160.tif 000008
【図７】
2016097160.tif 000009